(57)【要約】【課題】読取装置における原稿の置忘れの，より効果的な抑制が期待できる技術を提供すること。【解決手段】ＭＦＰ１００は，原稿を読み取る画像読取部２０と，制御部（例えば，ＣＰＵ３１）とを備える。ＭＦＰ１００の制御部は，画像読取部２０に原稿の画像を読み取らせる読取処理と，読取処理にて読取範囲の読み取りが終了したことを契機に，原稿の置忘れを報知する置忘れ報知を行う報知処理とを実行する。報知方法は，例えば，警告音，メッセージ表示，音声ガイダンスが該当する。【選択図】図４
2016048868.tif 000002
【特許請求の範囲】
【請求項１】
原稿を読み取る読取部と，
制御部と，
を備え，
前記制御部は，
前記読取部に原稿を読み取らせる読取処理と，
前記読取処理にて読取範囲の読み取りが終了したことを契機に，原稿の置忘れを報知する置忘れ報知を行う報知処理と，
を実行することを特徴とする読取装置。
【請求項２】
請求項１に記載する読取装置において，
原稿台を備え，
前記制御部は，
前記読取処理では，前記読取部を基準位置から所定方向に移動させることにより，前記原稿台にセットされた原稿を前記読取部に読み取らせ，
前記報知処理にて報知を行うタイミングである前記読取処理にて読取範囲の読み取りを終了した時は，少なくとも前記読取部が前記基準位置に戻る前であることを特徴とする読取装置。
【請求項３】
請求項２に記載する読取装置において，
前記制御部は，
前記報知処理では，少なくとも前記読取部が前記基準位置に戻るまでの間，前記置忘れ報知を行うことを特徴とする読取装置。
【請求項４】
請求項１または請求項２に記載する読取装置において，
原稿を搬送する搬送部を備え，
前記制御部は，
前記読取処理では，前記搬送部に原稿を搬送させることにより，搬送中の原稿を前記読取部に読み取らせ，
前記報知処理では，前記搬送部にセットされた複数の原稿のうち，最終原稿以外の原稿に対して読取範囲の読み取りを終了した後には，前記置忘れ報知を行わず，最終原稿に対して読取範囲の読み取りを終了した後には，前記置忘れ報知を行うことを特徴とする読取装置。
【請求項５】
請求項１から請求項４のいずれか１つに記載する読取装置において，
印刷部を備え，
前記制御部は，
前記印刷部に画像を印刷させる印刷処理と，
前記読取部にて読み取らせた読取データに基づいて前記印刷処理を実行するジョブの場合，前記報知処理にて前記置忘れ報知を開始するタイミングを，前記読取処理にて読取範囲の読み取りが終了した時より後で，かつ，前記印刷処理を終了するまでの間に変更する変更処理と，
を実行することを特徴とする読取装置。
【請求項６】
請求項１から請求項５のいずれか１つに記載する読取装置において，
前記制御部は，
前記読取部にて読み取らせた読取データに基づく画像データを外部装置に送信する送信処理と，
前記読取処理にて読取範囲の読み取りが終了した後に前記送信処理を実行させるジョブの場合，前記読取処理の実行中であって前記読取処理にて読取範囲の読み取りが終了する前の特定のタイミングから前記読取処理にて読取範囲の読み取りが終了するまでの間に，原稿の置忘れの注意を喚起するプレ置忘れ報知を行うプレ報知処理と，
を実行することを特徴とする読取装置。
【請求項７】
請求項６に記載する読取装置において，
前記制御部は，
前記プレ報知処理では，原稿のサイズが大きいほど，前記プレ置忘れ報知を開始する前記特定のタイミングが早いことを特徴とする読取装置。
【請求項８】
請求項６または請求項７に記載する読取装置において，
前記制御部は，
前記プレ報知処理では，前記読取処理において，原稿を搬送させる搬送速度と前記読取部を移動させる移動速度とのいずれか一方の速度が遅いほど，前記プレ置忘れ報知を開始する前記特定のタイミングが早いことを特徴とする読取装置。
【発明の詳細な説明】
【技術分野】
【０００１】
本発明は，原稿を読み取る読取装置に関する。さらに詳細には，読み取り後の原稿の置忘れを防止する技術に関するものである。
【背景技術】
【０００２】
従来から，読取装置に原稿を読み取らせた後，ユーザがその原稿を読取装置に置き忘れる問題が知られている。原稿の置忘れは，原稿の紛失や情報漏洩等を招くおそれがあることから，対策が望まれる。
【０００３】
原稿の置忘れを防止する技術としては，例えば特許文献１に開示される技術がある。特許文献１では，読み取り終了後，所定時間内に原稿が原稿台から取り除かれない場合に，原稿の置忘れを報知する構成が開示されている。
【先行技術文献】
【特許文献】
【０００４】
【特許文献１】特開２００４−１９３９３５号公報
【発明の概要】
【発明が解決しようとする課題】
【０００５】
しかしながら，前記した従来の技術には，次のような問題があった。すなわち，原稿の読み取り終了後，しばらく待った後で原稿の置忘れを報知するため，ユーザが読取装置から離れた後に報知する可能性が高い。そのため，有効な報知となり難い。
【０００６】
本発明は，前記した従来の技術が有する問題点を解決するためになされたものである。すなわちその課題とするところは，読取装置における原稿の置忘れの，より効果的な抑制が期待できる技術を提供することにある。
【課題を解決するための手段】
【０００７】
この課題の解決を目的としてなされた読取装置は，原稿を読み取る読取部と，制御部とを備え，前記制御部は，前記読取部に原稿を読み取らせる読取処理と，前記読取処理にて読取範囲の読み取りが終了したことを契機に，原稿の置忘れを報知する置忘れ報知を行う報知処理とを実行することを特徴としている。
【０００８】
本明細書に開示される読取装置は，読取範囲の読み取りが終了したことを契機に，原稿の置忘れを報知する置忘れ報知を行う。読取範囲の読み取りが終了したとは，原稿が取り除かれても読取結果に影響しないタイミングである。読取範囲の読み取りが終了する条件は，例えば，読取部による読取動作が終了したことであってもよいし，読取部が読み取った画像に基づく読取データの生成が終了したことであってもよい。なお，読み取り方法は，ＡＤＦ方式でもＦＢ方式でもよい。また，報知方法は，例えば，警告音，メッセージ表示，音声ガイダンスが該当する。
【０００９】
すなわち，本明細書に開示される読取装置は，読取範囲の読み取りが終了したことを契機に報知処理を実行する。これにより，読取範囲の読み取りが終了した後，直ぐに原稿の置忘れを報知することで，ユーザが読取装置を離れる前に報知できる可能性が高まる。その結果として，有効な報知となり易い。
【００１０】
また，本明細書に開示される読取装置は，原稿台を備え，前記制御部は，前記読取処理では，前記読取部を基準位置から所定方向に移動させることにより，前記原稿台にセットされた原稿を前記読取部に読み取らせ，前記報知処理にて報知を行うタイミングである前記読取処理にて読取範囲の読み取りを終了した時は，少なくとも前記読取部が前記基準位置に戻る前であるとよい。読み取りが終了した後であって読取部が基準位置に戻るまでの間，読取部は読み取り動作を行わない。また，次の読み取り動作も開始できない。そのため，その間に原稿を取り除く作業が行われたとしても読み取りに影響しないことから，原稿の置忘れを報知する方が好ましい。これにより，読取に影響しない最も早いタイミングで報知することができる。
【００１１】
また，前記制御部は，前記報知処理では，少なくとも前記読取部が前記基準位置に戻るまでの間，前記置忘れ報知を行うとよい。これにより，読取に影響しない最も早いタイミングで報知することができる。なお，報知は，少なくとも読取部が基準位置に戻るまでの間に実行すればよく，基準位置に戻った後でも報知を継続させてもよいし，終了させてもよい。
【００１２】
また，本明細書に開示される読取装置は，原稿を搬送する搬送部を備え，前記制御部は，前記読取処理では，前記搬送部に原稿を搬送させることにより，搬送中の原稿を前記読取部に読み取らせ，前記報知処理では，前記搬送部にセットされた複数の原稿のうち，最終原稿以外の原稿に対して読取範囲の読み取りを終了した後には，前記置忘れ報知を行わず，最終原稿に対して読取範囲の読み取りを終了した後には，前記置忘れ報知を行うとよい。複数の原稿を連続して読み取る場合，例えば１枚の原稿を読み取る度に報知すると，ユーザにとって煩わしい。そのため，最終原稿の読み取りを終了した後に報知する方が好ましい。
【００１３】
また，本明細書に開示される読取装置は，印刷部を備え，前記制御部は，前記印刷部に画像を印刷させる印刷処理と，前記読取部にて読み取らせた読取データに基づいて前記印刷処理を実行するジョブの場合，前記報知処理にて前記置忘れ報知を開始するタイミングを，前記読取処理にて読取範囲の読み取りが終了した時より後で，かつ，前記印刷処理を終了するまでの間に変更する変更処理とを実行するとよい。読み取りが終了した後に印刷を行うジョブ（例えばコピー）であれば，ユーザは印刷物を得るまで装置の前にいる可能性が高い。そのため，読み取りの終了後に直ぐに報知するよりも読み取りの終了後から印刷が終了するまでの間に報知する方が，より有効な報知となり易い。
【００１４】
また，前記制御部は，前記読取部にて読み取らせた読取データに基づく画像データを外部装置に送信する送信処理と，前記読取処理にて読取範囲の読み取りが終了した後に前記送信処理を実行させるジョブの場合，前記読取処理の実行中であって前記読取処理にて読取範囲の読み取りが終了する前の特定のタイミングから前記読取処理にて読取範囲の読み取りが終了するまでの間に，原稿の置忘れの注意を喚起するプレ置忘れ報知を行うプレ報知処理とを実行するとよい。読取データを外部装置に送信するジョブ（例えばＦＡＸ送信，ＰＣ宛スキャン）であれば，ユーザは読み取りを開始させた後，読み取りが終了する前に装置から離れ，原稿を置き忘れる可能性が高い。そのため，読み取り終了前にも報知する方が，より原稿の置忘れを防止できる。置忘れ報知とプレ置忘れ報知とでは，同じ内容を報知してもよいし，報知度合を変えて報知してもよい。
【００１５】
また，前記制御部は，前記プレ報知処理では，原稿のサイズが大きいほど，前記プレ置忘れ報知を開始する前記特定のタイミングが早いとよい。原稿のサイズが大きいほど，読み取りの終了までに時間がかかり，原稿の置忘れが生じ易い。そのため，より早期に置忘れを報知する方が好ましい。
【００１６】
また，前記制御部は，前記プレ報知処理では，前記読取処理において，原稿を搬送させる搬送速度と前記読取部を移動させる移動速度とのいずれか一方の速度が遅いほど，前記プレ置忘れ報知を開始する前記特定のタイミングが早いとよい。読み取りの解像度が高いほど，読み取りの終了までに時間がかかり，原稿の置忘れが生じ易い。そのため，より早期に置忘れを報知する方が好ましい。
【００１７】
上記読取装置の機能を実現するための制御方法，コンピュータプログラム，および当該コンピュータプログラムを格納するコンピュータ読取可能な記憶媒体も，新規で有用である。
【発明の効果】
【００１８】
本発明によれば，読取装置における原稿の置忘れの，より効果的な抑制が期待できる技術が実現される。
【図面の簡単な説明】
【００１９】
【図１】実施の形態にかかるＭＦＰの概略構成を示す斜視図である。
【図２】ＭＦＰの画像読取部の概略構成を示す断面図である。
【図３】ＭＦＰの電気的構成を示すブロック図である。
【図４】スキャン処理の手順を示すフローチャートである。
【図５】プレ報知の例を示す説明図である。
【図６】報知の例を示す説明図である。
【図７】プレ報知のタイミングの例を示すテーブルである。
【図８】コピー処理の手順を示すフローチャートである。
【発明を実施するための形態】
【００２０】
以下，本発明にかかる読取装置を具体化した実施の形態について，添付図面を参照しつつ詳細に説明する。本形態は，画像読取機能を備えた複合機（ＭＦＰ：Ｍｕｌｔｉ  Ｆｕｎｃｔｉｏｎ  Ｐｅｒｉｐｈｅｒａｌ）に本発明を適用したものである。
【００２１】
本形態のＭＦＰ１００は，図１に示すように，用紙に画像を印刷する画像形成部１０と，原稿の画像を読み取る画像読取部２０と，動作状況の表示やユーザによる入力操作の受付を行う操作パネル４０とを備えている。また，ＭＦＰ１００は，後述するように，外部機器と通信する各種のインターフェースを備えている。ＭＦＰ１００は，コピー機能，スキャン機能，プリント機能，ＦＡＸ送受信機能を備える。
【００２２】
画像形成部１０の画像形成方式は，電子写真方式であっても，インクジェット方式であってもよい。また，カラー画像の形成が可能であっても，モノクロ画像専用であってもよい。画像形成部１０は，印刷部の一例である。
【００２３】
操作パネル４０は，液晶ディスプレイ４１とボタン群４２とを備える。ボタン群４２は，スタートキー，ストップキー，テンキー等から構成される。操作パネル４０は，ユーザによる指示入力を受け付け，ユーザへ各種の情報を報知する。
【００２４】
ＭＦＰ１００は，図２に示すように，光学的に画像を読み取る読取ヘッド２１を備え，原稿と読取ヘッド２１とを相対的に移動させつつ，原稿の画像を読み取る。そのために，ＭＦＰ１００は，原稿を移動させるＡＤＦ（自動原稿搬送装置）２２と，読取ヘッド２１を移動させるキャリッジ２３とを有している。以下では，読取ヘッド２１を固定し，ＡＤＦ２２を使用して原稿を移動させつつ読み取る読取方式をＡＤＦ読み取り，原稿を固定し，キャリッジ２３を使用して読取ヘッド２１を移動させつつ読み取る読取方式をＦＢ（フラットベッド）読み取りとする。
【００２５】
ＡＤＦ読み取りでは，ＭＦＰ１００は，図示しない駆動モータにより読取ヘッド２１を所定の読み取り位置まで移動した後に停止させた状態で，ＡＤＦ２２にセットされた原稿を搬送しつつ読み取る。ＡＤＦ２２は，図２に示すように，原稿抑え２４と，原稿検出部２７と，原稿トレイ２８と，原稿排出トレイ２９とを有している。ＡＤＦ２２は，原稿トレイ２８にセットされた原稿を，所定の搬送路２６に沿って搬送する。原稿検出部２７は，原稿トレイ２８にセットされている原稿の有無に応じた信号を出力する。
【００２６】
そして，ＡＤＦ読み取りでは，読取ヘッド２１は，図２に示すように，原稿抑え２４に対向する位置に停止される。ＡＤＦ２２にて搬送される原稿は，原稿抑え２４の位置で読取ヘッド２１に対向し，原稿排出トレイ２９に排出される。ＭＦＰ１００は，原稿の通過に合わせて，読取ヘッド２１に原稿の画像を読み取らせる。なお，ＡＤＦ２２の原稿トレイ２８には，複数枚の原稿をセットでき，セットされた原稿が複数枚であれば，ＡＤＦ２２は１枚ずつ搬送する。
【００２７】
ＦＢ読み取りでは，ＭＦＰ１００は，読取ヘッド２１を移動させつつ，ＦＢガラス２５上にセットされた原稿を読み取る。ＡＤＦ２２はＭＦＰ１００の本体に対して開閉可能に設けられており，ＡＤＦ２２が開放されることで，ＦＢガラス２５の上面が露出される。原稿は，ＦＢガラス２５の上面にセットされる。
【００２８】
そして，ＦＢ読み取りでは，ＭＦＰ１００は，キャリッジ２３にて，読取ヘッド２１をＦＢガラス２５の下面に沿って，図２中に矢印Ａで示す方向に移動させる。つまり，ＭＦＰ１００は，ＦＢ読み取り時には，読取ヘッド２１をＦＢガラス２５に沿って移動させ，読取ヘッド２１にＦＢガラス２５上の原稿の画像を読み取らせる。
【００２９】
なお，キャリッジ２３は，読み取りのための使用時以外は，読取ヘッド２１を所定の基準位置に停止させる。基準位置は，図２中に二点鎖線で示すように，原稿抑え２４に対向する位置ではなく，ＦＢガラス２５の下面位置でもない。例えば，ＦＢ読み取りでは，ＭＦＰ１００は，原稿の読取範囲まで読取ヘッド２１を移動させた後，読取ヘッド２１を逆向きに移動させて基準位置に戻す。読取ヘッド２１は，読取部の一例である。ＦＢガラス２５は，原稿台の一例である。ＡＤＦ２２は，搬送部の一例である。
【００３０】
続いて，ＭＦＰ１００の電気的構成について説明する。ＭＦＰ１００は，図３に示すように，ＣＰＵ３１と，ＲＯＭ３２と，ＲＡＭ３３と，ＮＶＲＡＭ（不揮発性ＲＡＭ）３４と，ＡＳＩＣ３５とを含むコントローラ３０を備えている。なお，図３中のコントローラ３０は，ＣＰＵ３１等，ＭＦＰ１００の制御に利用されるハードウェアを纏めた総称であって，実際にＭＦＰ１００に存在する単一のハードウェアを表すとは限らない。
【００３１】
ＲＯＭ３２には，ＭＦＰ１００を制御するための各種制御プログラムや各種設定，初期値等が記憶されている。ＲＡＭ３３は，各種制御プログラムが読み出される作業領域として，あるいは，データを一時的に記憶する記憶領域として利用される。ＣＰＵ３１は，ＲＯＭ３２から読み出した制御プログラムに従って，その処理結果をＲＡＭ３３またはＮＶＲＡＭ３４に記憶させながら，ＭＦＰ１００の各構成要素を制御する。ＣＰＵ３１は，制御部の一例である。なお，コントローラ３０が制御部であってもよいし，ＡＳＩＣ３５が制御部であってもよい。
【００３２】
また，ＭＦＰ１００は，画像形成部１０と，読取ヘッド２１と，ＡＤＦ２２と，ネットワークインターフェース（ＩＦ）３７と，ＵＳＢインターフェース（ＩＦ）３８と，電話回線インターフェース（ＩＦ）３９と，操作パネル４０とを備え，これらがコントローラ３０に電気的に接続されている。
【００３３】
ネットワークインターフェース３７は，有線ＬＡＮ，無線ＬＡＮ等を用いてネットワークを介して接続された装置と通信を行うためのハードウェアである。ＵＳＢインターフェース３８は，ＵＳＢコネクタ等を介して接続されたＵＳＢメモリ等の外部機器と通信を行うためのハードウェアである。電話回線インターフェース３９は，電話回線を介してＦＡＸ送受信可能な外部装置と通信を行うためのハードウェアである。
【００３４】
続いて，本形態のＭＦＰ１００の，読取動作を含む機能について説明する。ＭＦＰ１００にて実行可能な各種の機能のうち，画像読取部２０での原稿の読み取りを含む機能としては，例えば，スキャン機能，コピー機能，ＦＡＸ送信機能がある。これらの機能は，それぞれ該当する機能の実行指示を受け付けた場合に実行される。そして，読取動作を含む機能の実行指示を受け付けた場合，ＭＦＰ１００は，まず，読取動作を開始する。
【００３５】
読取動作では，ＭＦＰ１００は，セットされた原稿の画像を読み取って，読取データを生成する。なお，ＭＦＰ１００は，原稿検出部２７の出力信号に基づいて，ＡＤＦ２２の原稿トレイ２８に原稿が有ると判断した場合には，ＡＤＦ読み取りを実行する。一方，ＭＦＰ１００は，原稿検出部２７の出力信号に基づいて，原稿トレイ２８に原稿が無いと判断した場合には，ＦＢ読み取りを実行する。読取データは，例えば，読取ヘッド２１の出力信号に基づいて生成されるＲＧＢデータである。
【００３６】
スキャン機能は，読取動作にて生成した読取データに基づく画像データを，スキャン動作の実行指示にて指定された保存先に保存する機能である。スキャン動作の実行指示として，ＭＦＰ１００は，データの保存先の異なる，メモリ宛スキャンとＰＣ宛スキャンとを受け付ける。メモリ宛スキャンは，ＵＳＢインターフェース３８に接続されたＵＳＢメモリ等の記憶装置に画像データを保存する指示である。ＰＣ宛スキャンは，ネットワークインターフェース３７に接続されたＰＣ等の外部装置に画像データを送信する指示である。なお，ＭＦＰ１００は，データの保存先として，自機のＮＶＲＡＭ３４の指定も受け付ける。
【００３７】
コピー機能は，読取動作にて生成した読取データに基づいて，画像形成部１０にて画像を印刷させる機能である。コピー動作の実行指示として，ＭＦＰ１００は，印刷部数の指定や出力順の指定等，各種の印刷設定を受け付ける。なお，ＭＦＰ１００の画像形成部１０では，印刷順に印刷物が積載されるので，ＭＦＰ１００は，指定された出力順となるように印刷順を決定する。例えば，ＭＦＰ１００は，複数枚の原稿に対するコピー動作の印刷設定として，複数部数印刷とソート順出力とを受け付ける。複数部数印刷では，原稿ごとに指定された部数のコピーを作成する。そして，ソート順出力は，ジョブに含まれる１枚ずつの各原稿をまとめて１部とし，１部ずつ順に部数分を出力する出力順である。ソート順出力の指定を受け付けた場合，ＭＦＰ１００は，少なくとも２部目以降の印刷については，ジョブの全原稿の読み取りが終了した後に開始する。
【００３８】
そのために，ＭＦＰ１００は，コピー機能として，メモリコピー機能と，ダイレクトコピー機能とを有している。メモリコピー機能は，ジョブの原稿を読み取って，読取データに基づくデータをＲＡＭ３３等の記憶領域に保存し，保存したデータを読み出して印刷を実行する機能である。ダイレクトコピー機能は，読取データを保存することなく，読み取りと並行して順次印刷を実行し，印刷の終わった原稿の読取データを順次削除する機能である。ＭＦＰ１００は，受け付けたコピー動作の印刷設定に基づいて，メモリコピーとダイレクトコピーとの一方を選択して実行する。
【００３９】
メモリコピー機能を実行する場合，ＭＦＰ１００は，読取データに基づく保存用の画像データを生成して保存し，保存用の画像データを読み出して印刷を実行する。メモリコピーでは，印刷の終了後も必要に応じて保存用の画像データは保存される。従って，保存用の画像データが保存されているので，読み取り順とは異なる順に印刷することができる。前述したソート順出力のように，原稿順と印刷順とを異なる順とすることが求められる場合には，ＭＦＰ１００は，メモリコピー機能を実行する。保存用の画像データは，例えば，読取データや画像データを圧縮したデータである。
【００４０】
ダイレクトコピー機能を実行する場合，ＭＦＰ１００は，原稿を読み取った読取データに基づいて，読み取り順に印刷を実行する。原稿順と印刷順とを異なる順とすることが求められない場合には，ＭＦＰ１００は，ダイレクトコピー機能を実行することで，より早く印刷物を出力できる。
【００４１】
ＦＡＸ送信機能は，読取動作にて生成した読取データに基づく画像データを，ＦＡＸ送信動作の実行指示にて指定された送信先に，電話回線を介して送信する機能である。ＦＡＸ送信動作における手続きについては，国際規格によって詳細に決定されている。ＭＦＰ１００は，読取動作にて全ての原稿の画像を読み取った後，国際規格に則って画像データを送信する。
【００４２】
続いて，本形態のＭＦＰ１００において，読み取り動作を含む機能を実現する処理の手順について説明する。以下では，まず，スキャン機能を実現するスキャン処理の手順を，図４のフローチャートを参照して説明する。このスキャン処理は，スキャン動作の実行指示を受け付けたことを契機にＣＰＵ３１によって実行される。
【００４３】
スキャン処理では，ＭＦＰ１００は，まず，原稿検出部２７の出力信号に基づいて，ＡＤＦ２２に原稿が有るか否かを判断する（Ｓ１０１）。そして，ＡＤＦ２２に原稿が有ると判断した場合には（Ｓ１０１：ＹＥＳ），ＡＤＦ読み取りを実行する。一方，ＡＤＦ２２に原稿が無いと判断した場合には（Ｓ１０１：ＮＯ），ＦＢ読み取りを実行する。
【００４４】
ＡＤＦ読み取りでは，ＭＦＰ１００は，ＡＤＦ２２に原稿の搬送を開始させる（Ｓ１０２）。そして，ＭＦＰ１００は，読取ヘッド２１にて搬送されてきた原稿の画像の読み取りを開始する（Ｓ１０３）。なお，ＭＦＰ１００では，前の原稿を所定の位置まで搬送した後，原稿トレイ２８にまだ原稿が有れば，次の原稿を続いて搬送する。Ｓ１０３の処理は，読取処理の一例である。
【００４５】
そして，ＭＦＰ１００は，読み取りを開始した原稿が原稿トレイ２８にセットされた最終原稿であるか否かを判断する（Ｓ１０５）。ＭＦＰ１００は，読み取り対象の原稿の搬送が開始された後，原稿検出部２７の出力信号に基づいて，次の原稿の有無を判断できる。具体的に，ＭＦＰ１００は，次の原稿が無ければ最終原稿であると判断し，次の原稿が有れば最終原稿ではないと判断する。そして，最終原稿ではないと判断した場合には（Ｓ１０５：ＮＯ），ＭＦＰ１００は，さらに原稿の搬送と読み取りとを継続する。
【００４６】
一方，最終原稿であると判断した場合には（Ｓ１０５：ＹＥＳ），ＭＦＰ１００は，受け付けたスキャン動作の指示がＰＣ宛スキャンであるか否かを判断する（Ｓ１０６）。そして，ＰＣ宛スキャンであると判断した場合には，プレ報知を開始する（Ｓ１０７）。プレ報知は，読取動作の終了前に行う報知であり，ユーザに原稿の置忘れの注意を喚起するための報知である。プレ報知として，ＭＦＰ１００は，例えば，操作パネル４０の液晶ディスプレイ４１に，図５に示すような情報を表示する。Ｓ１０７の処理は，プレ報知処理の一例である。
【００４７】
スキャン動作の実行指示にてＰＣ等の外部機器への送信を受け付けた場合，実行指示を出したユーザは読み取りの終了を待たずにＭＦＰ１００から離れる可能性がある。スキャン結果の画像データは，ＰＣにて受け取ることができるからである。プレ報知によって，読み取り終了前に注意を喚起することで，原稿の置忘れ防止が期待できる。ＭＦＰ１００は，画像データの送信先であるＰＣにも，同様のプレ報知を行うとよい。なお，表示に限らず，音声ガイダンスや警告音，またはこれらの組合せによる報知としてもよい。
【００４８】
そして，ＭＦＰ１００は，最終原稿について，読取範囲の読み取りが終了したか否かを判断する（Ｓ１０８）。そして，読み取りが終了していないと判断した場合には（Ｓ１０８：ＮＯ），ＭＦＰ１００は，読み取りを継続して実行する。
【００４９】
なお，ＡＤＦ読み取りにおいて，読取範囲の読み取りが終了した時とは，少なくとも読取範囲の最終端が原稿抑え２４（図２参照）の位置を通過し，最終端に対する読取ヘッド２１の出力信号を受け付けた時より後であって，最終原稿が原稿排出トレイ２９に排出されるより前である。より好ましくは，読取ヘッド２１の出力信号に基づく読取データの生成が終了した時とするとよい。また，あるいは，読取ヘッド２１にて読み取った読取データに基づいて画像データを生成した時としてもよい。なお，スキャン機能にて保存あるいは送信する画像データは，読取データそのものであってもよいし，読取データに所定の加工を施した結果であってもよい。また，読取範囲は，設定により，原稿サイズより小さい場合も，原稿サイズより大きい場合もある。つまり，読取範囲の最終端は，原稿の後端とは限らない。
【００５０】
ＭＦＰ１００は，読取範囲の読み取りが終了したと判断した場合には（Ｓ１０８：ＹＥＳ），原稿の置忘れの注意をさらに喚起するための報知を開始する（Ｓ１０９）。具体的に，Ｓ１０９では，ＭＦＰ１００は，例えば，図６に示すように，操作パネル４０の液晶ディスプレイ４１に情報を表示する。Ｓ１０９の処理は，報知処理の一例である。
【００５１】
既に，Ｓ１０７にてプレ報知を実行している場合には，プレ報知を中止して，Ｓ１０９の報知に切り換えるとよい。Ｓ１０９にて実行する報知は，Ｓ１０７のプレ報知に比較して，より目立つ表示である。目立つ表示としては，例えば，表示文字を大きくまたは太くする，点滅表示を行う，文字色または背景色を派手にする，音量を上げる，が該当する。なお，ＭＦＰ１００は，Ｓ１０９の報知でも，画像データの送信先であるＰＣにも，同様の情報を報知するとよい。
【００５２】
さらに，ＭＦＰ１００は，読取データに基づく画像データをスキャン指示にて指定された保存先へ保存する（Ｓ１１０）。なお，Ｓ１０９とＳ１１０とは，逆順でもよいし，並行して実行してもよい。
【００５３】
つまり，ＭＦＰ１００にて，報知の開始条件は，読取ヘッド２１にて読取範囲の原稿の画像の読み取りが終了したことであり，画像データの生成前でも生成中でも生成後でもよい。少なくとも，原稿の有無が送信結果に影響を与えない状況となった後であればよい。そして，画像データの送信を伴うスキャン処理であれば，送信の完了前であればさらによい。読み取りの終了後，直ちに報知することで，ユーザがＭＦＰ１００から離れる前に報知できる可能性が高まる。
【００５４】
そして，ＭＦＰ１００は，報知を終了する条件を満たしたか否かを判断する（Ｓ１１１）。例えば，報知を開始してから所定時間が経過したか否かを判断する。報知時間としては，例えば，１０秒以上であることが好ましい。プレ報知を行った場合には，プレ報知と報知との合計の実行時間が，１０秒以上であることが好ましい。終了条件を満たしていなければ（Ｓ１１１：ＮＯ），ＭＦＰ１００は，さらに継続して報知する。そして，終了条件を満たしたと判断した場合には（Ｓ１１１：ＹＥＳ），報知を終了して（Ｓ１１２），スキャン処理を終了する。
【００５５】
次に，スキャン処理の開始時に，ＡＤＦ２２に原稿が無いと判断し（Ｓ１０１：ＮＯ），ＦＢ読み取りを実行する場合の動作について説明する。ＦＢ読み取りでは，ＭＦＰ１００は，まず，キャリッジ２３の移動を開始する（Ｓ１２１）。そして，読取ヘッド２１にて，原稿の画像の読み取りを開始する（Ｓ１２２）。Ｓ１２２の処理は，読取処理の一例である。
【００５６】
ＭＦＰ１００は，ＦＢ読み取りの場合でも，ＡＤＦ読み取りのＳ１０６〜Ｓ１０８と同様に，ＰＣ宛スキャンの場合にプレ報知を実行する。つまり，ＭＦＰ１００は，ＰＣ宛であるか否かを判断し（Ｓ１２３），ＰＣ宛であると判断したら（Ｓ１２３：ＹＥＳ），プレ報知を開始する（Ｓ１２４）。一方，ＰＣ宛ではないと判断したら（Ｓ１２３：ＮＯ），プレ報知を実行しない。そして，読取範囲の読み取りが終了したか否かを判断する（Ｓ１２５）。読み取りが終了していなければ（Ｓ１２５：ＮＯ），さらに継続して読み取りを実行する。
【００５７】
なお，ＦＢ読み取りにおいて，読取範囲の読み取りが終了した時とは，少なくとも読取範囲の最終端まで読取ヘッド２１が移動し，最終端に対する読取ヘッド２１の出力信号を受け付けた時より後であって，キャリッジ２３と読取ヘッド２１とが基準位置に戻るより前である。より好ましくは，読取ヘッド２１の出力信号に基づく読取データの生成が終了した時とするとよい。また，読取ヘッド２１にて読み取った読取データに基づいて画像データの生成が完了した時としてもよい。
【００５８】
そして，ＭＦＰ１００は，読取範囲の読み取りが終了したと判断した場合には（Ｓ１２５：ＹＥＳ），報知を開始する（Ｓ１２７）。報知の内容は，Ｓ１０９における報知と同様のものとすればよい。Ｓ１２７の処理は，報知処理の一例である。
【００５９】
さらに，ＭＦＰ１００は，キャリッジ２３を読み取り実行時の逆向きの移動であり，基準位置へ向かう逆移動を開始させる。（Ｓ１２８）。基準位置は，図２に二点鎖線で示したように，ＦＢガラス２５の範囲から外れた位置である。また，ＭＦＰ１００は，読取データに基づく画像データを，指定された保存先へ保存する（Ｓ１２９）。なお，Ｓ１２７とＳ１２８とＳ１２９とは，どの順でもよいし，並行して実行してもよい。
【００６０】
例えば，Ｓ１２８によるキャリッジ２３の逆移動中にＡＤＦ２２を開放して原稿を取り出したとしても，読取範囲の読み取りは終了しているので，読み取り結果に影響はない。Ｓ１２７にて報知することにより，原稿の取り出しをキャリッジ２３が停止するまで待つ必要はないことをユーザに知らせることができる。つまり，報知のタイミングは，原稿が取り除かれても読取結果に影響しない条件が成立した後であればよい。
【００６１】
次に，ＭＦＰ１００は，キャリッジ２３が基準位置に戻り，かつ，終了条件を満たしたか否かを判断する（Ｓ１３０）。終了条件としては，例えば，報知を開始してから所定時間が経過したか否かを判断する。
【００６２】
そして，キャリッジ２３が基準位置に戻っていない，あるいは，終了条件を満たしていないと判断した場合（Ｓ１３０：ＮＯ），ＭＦＰ１００は，キャリッジ２３の逆移動を継続するか，終了条件が満たされるのを待つ。そして，キャリッジ２３が基準位置に戻り，かつ，終了条件を満たしたと判断した場合（Ｓ１３０：ＹＥＳ），Ｓ１２８にて開始した報知を終了し（Ｓ１３１），スキャン処理を終了する。
【００６３】
なお，本形態のＭＦＰ１００は，原稿のサイズ，読み取りの解像度，原稿の搬送速度，キャリッジ２３の移動速度の少なくとも１つに応じて，プレ報知を開始するタイミングを調整する。プレ報知は，前述したように，ＰＣ宛スキャンの場合に，該当する原稿の読み取りを開始した後，実行される報知である。そして，ＭＦＰ１００は，原稿の読み取りに掛かると推定される時間が長いほど，推定される読取終了時刻より前の，より早いタイミングでプレ報知を開始する。例えば，原稿の読み取り開始直後にプレ報知を開始する。これにより，読み取りが終了して報知が開始される前にユーザがＭＦＰ１００の前から離れることを抑制し，原稿の置忘れのさらなる防止が期待できる。
【００６４】
具体的に，ＭＦＰ１００は，例えば，図７に示すように，各条件と，原稿の読み取りが終了すると推定される時刻に対するプレ報知の開始タイミングとの関係を記憶している。なお，図７中の「早い」とは，推定される読取終了時刻との差が大きいことであり，「遅い」とは，推定される読取終了時刻との差が小さいことである。
【００６５】
例えば，ＭＦＰ１００は，原稿の読み取りの進行方向のサイズが大きいほど，早いタイミングでプレ報知を開始する。原稿の読み取りの進行方向のサイズが大きいほど，読み取り開始から読み取り終了までに掛かる時間が長いと推測されるからである。原稿のサイズは，例えば，原稿検出部２７等の原稿を検知するセンサの出力信号，または，読取データに基づいて判断できる。
【００６６】
ＡＤＦ読み取りでは，ＭＦＰ１００は，最終原稿について，搬送方向のサイズが大きいほど，早いタイミングでプレ報知を開始するとよい。複数枚の原稿を読み取った場合には，読み取りの終了した原稿のサイズに基づいて，最終原稿のサイズを推定してもよい。なお，ＡＤＦ読み取りにて，複数枚の原稿を読み取る場合，例えば１枚の原稿を読み取る度に報知すると，ユーザにとって煩わしい。そのため，最終原稿の読み取りが終了すると推定される時刻を基準としてプレ報知のタイミングを決定する方が好ましい。
【００６７】
また，ＦＢ読み取りでは，ＭＦＰ１００は，読み始めの部分の読取データに基づいて，キャリッジ２３の移動方向に直交する方向の原稿のサイズを取得し，取得したサイズに基づいて，キャリッジ２３の移動方向のサイズを推定してもよい。なお，ＦＢ読み取りでは，プレスキャンによって原稿のサイズを取得してもよい。
【００６８】
また，ＭＦＰ１００は，図７に示すように，読み取りの解像度が高いほど，早いタイミングでプレ報知を開始する。また，ＭＦＰ１００は，原稿の搬送速度が遅いほど，早いタイミングでプレ報知を開始する。また，ＭＦＰ１００は，キャリッジ２３の移動速度が遅いほど，早いタイミングでプレ報知を開始する。読み取りの解像度が高いほど，原稿の搬送速度が遅いほど，あるいは，キャリッジ２３の移動速度が遅いほど，読み取りの終了までに掛かる時間が長いと推測されるからである。
【００６９】
なお，本形態のＭＦＰ１００では，メモリ宛スキャンの場合は，プレ報知をしないとしたが，メモリ宛スキャンであってもプレ報知を実行してもよい。また，メモリ宛スキャンの場合は，画像データの保存先のＵＳＢメモリ等がＭＦＰ１００から抜き取られたと判断した場合に，再度報知をしてもよい。
【００７０】
続いて，本形態のＭＦＰ１００において，コピー機能を実現するコピー処理の手順を，図８のフローチャートを参照して説明する。このコピー処理は，コピー動作の実行指示を受け付けたことを契機にＣＰＵ３１によって実行される。コピー処理は，前述したスキャン処理に比較して，画像データを保存する代わりに印刷を実行する点で異なる。スキャン処理と同一の処理については，同じ符号を付して説明を省略する。
【００７１】
コピー処理を開始すると，ＭＦＰ１００は，まず，ＡＤＦ２２に原稿が有るか否かを判断し，ＡＤＦ読み取りを実行するかＦＢ読み取りを実行するかを決定する（Ｓ１０１）。そして，ＡＤＦ読み取りでは，原稿の搬送を開始し（Ｓ１０２），原稿の読み取りを開始する（Ｓ１０３）。コピー処理においても，スキャン処理と同様に，ＡＤＦ読み取りでは，ＡＤＦ２２にセットされた原稿を順次搬送して読み取る。
【００７２】
コピー処理の場合，Ｓ１０３にて開始した読み取りが終了して，印刷可能となったページがあれば，ＭＦＰ１００は，画像形成部１０に順次印刷を開始させる。この処理は，印刷処理の一例である。前述したように，ＭＦＰ１００は，原稿をコピーする場合，コピー指示の設定に基づいて，ダイレクトコピーを実行するか，メモリコピーを実行するかを決定する。そして，コピーを実行する際，読み取りが終了し，印刷を開始できる原稿から順次印刷を開始する。なお，ＭＦＰ１００は，読み取りと印刷とを並行して実行できる。そこで，ダイレクトコピーとメモリコピーとのいずれの場合も，原稿１枚の読み取りが終了する前に，読み取った部分に基づく印刷を開始してもよい。
【００７３】
そして，ＭＦＰ１００は，最終原稿について読取範囲の読み取りが終了したか否かを判断する（Ｓ１０８）。最終原稿の読み取りが終了していないと判断した場合には（Ｓ１０８：ＮＯ），最終原稿の読み取りが終了するまで搬送と読み取りとを実行する。
【００７４】
一方，ＭＦＰ１００は，最終原稿の読み取りが終了したと判断した場合には（Ｓ１０８：ＹＥＳ），メモリコピーが選択されているか否かを判断する（Ｓ２０１）。メモリコピーが選択されていると判断した場合には（Ｓ２０１：ＹＥＳ），ＭＦＰ１００は，報知を遅延させる（Ｓ２０２）。例えば，遅延時間だけ待ってから，報知を開始する（Ｓ１１０）。報知の内容は，スキャン処理の場合と同様である。Ｓ２０２の処理は，変更処理の一例である。
【００７５】
メモリコピーの場合は，原稿の読み取りが終了してから，印刷が終了するまでにある程度の時間が掛かることが予想される。そこで，ＭＦＰ１００は，原稿の読み取り終了後直ちに報知するのではなく，印刷の終了が近づいてから報知を開始する。これにより，ユーザが印刷物を取りにＭＦＰ１００の近くに来たときには，ＭＦＰ１００は報知中である可能性が高い。従って，原稿の読み取り終了後直ちに報知するよりも，より有効な報知となることが期待できる。
【００７６】
一方，メモリコピーを実行しないと判断した場合（Ｓ２０１：ＮＯ），つまり，ダイレクトコピーを選択している場合は，ＭＦＰ１００は，原稿の読み取り終了後直ちに報知を開始する（Ｓ１１０）。ダイレクトコピーでは，原稿の読み取りが終了してから印刷が終了するまでの時間が短い可能性が高い。従って，原稿の読み取り終了後直ちに報知を開始することで，有効な報知となることが期待できる。
【００７７】
報知開始後は，ＭＦＰ１００は，スキャン処理と同様に，報知を終了する条件を満たしたか否かを判断する（Ｓ１１１）。終了条件を満たしていない場合は（Ｓ１１１：ＮＯ），ＭＦＰ１００は，報知を継続する。終了条件を満たしたと判断したら（Ｓ１１１：ＹＥＳ），ＭＦＰ１００は，報知を終了し（Ｓ１１２），コピー処理を終了する。
【００７８】
一方，ＦＢ読み取りにてコピー動作を実行する場合（Ｓ１０１：ＮＯ），ＭＦＰ１００は，キャリッジ２３を移動させて（Ｓ１２１），読み取りを開始する（Ｓ１２２）。そして，ＭＦＰ１００は，印刷を開始可能となったタイミングで，画像形成部１０に印刷を開始させる。
【００７９】
さらに，ＭＦＰ１００は，読取範囲の読み取りが終了したか否かを判断する（Ｓ１２５）。読み取りが終了していなければ（Ｓ１２５：ＮＯ），ＭＦＰ１００は，キャリッジ２３の移動と読み取りとを継続する。読み取りが終了したら（Ｓ１２５：ＹＥＳ），報知を開始する（Ｓ１２７）。報知の内容は，スキャン処理の場合と同様である。さらに，ＭＦＰ１００は，キャリッジの逆移動を開始する（Ｓ１２８）。なお，Ｓ１２７とＳ１２８とは逆順でもよいし，並行して実行してもよい。
【００８０】
そして，ＭＦＰ１００は，キャリッジ２３が基準位置に戻り，かつ，終了条件を満たしたか否かを判断する（Ｓ１３０）。キャリッジ２３が基準位置に戻っていないか，または，終了条件を満たしていなければ（Ｓ１３０：ＮＯ），ＭＦＰ１００は，報知を継続する。キャリッジ２３が基準位置に戻り，かつ，終了条件を満たしたら（Ｓ１３０：ＹＥＳ），ＭＦＰ１００は，報知を終了して（Ｓ１３１），コピー処理を終了する。
【００８１】
続いて，ＦＡＸ送信機能について説明する。ＦＡＸ送信の動作手順は，スキャン動作と画像データの送信先が異なるのみであり，ＰＣ宛スキャンの動作手順とほぼ同じである。例えば，ＡＤＦ読み取りであれば，図４のスキャン処理にて，Ｓ１０６のＰＣ宛か否かの判断を省略し，Ｓ１０５にてＹＥＳであれば，Ｓ１０７へ進んで，プレ報知を実行するとすればよい。また，ＦＢ読み取りであれば，図４のスキャン処理にて，Ｓ１２３のＰＣ宛か否かの判断を省略し，Ｓ１２２にて読み取りを開始したら，Ｓ１２４へ進んで，プレ報知を実行するとすればよい。
【００８２】
以上，詳細に説明したように，本形態のＭＦＰ１００にて原稿を読み取る読取動作を含む機能を実行すると，読取範囲の読み取りが終了したことを契機に原稿の置忘れを報知する。つまり，ＭＦＰ１００は，原稿を持ち去ってもその後の処理に影響の無い，最も早いタイミングで原稿の置忘れを報知する。従って，読み取りの所定時間経過後に報知を開始する従来の構成と比較して，ユーザがＭＦＰ１００の前にいる状態で報知できる可能性が高まり，原稿の置忘れの，より効果的な抑制が期待できる。また，置忘れの原稿の検知用に原稿排出トレイ２９にセンサ等を設ける必要がないため，部品点数も少なくて済む。
【００８３】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，複写機，スキャナ，ＦＡＸ装置等，画像読取機能を備えるものであれば適用可能である。つまり，スキャン機能と，コピー機能と，ＦＡＸ送信機能との少なくとも一つを実行可能な装置であればよい。また，例えば，ＡＤＦ読み取りとＦＢ読み取りとのいずれか一方のみを実行可能な装置にも適用可能である。
【００８４】
また，例えば，プレ報知は行わず，報知のみとしてもよい。すなわち，図４のＳ１０７やＳ１２４は無くてもよい。ただし，プレ報知を行った方が，原稿の置忘れの抑制がより期待できる。
【００８５】
また，実施の形態では，ＰＣ宛スキャン処理のＡＤＦ読み取りでは，最終原稿の読み取りを開始してから，プレ報知を実行するとしたが，これに限らない。例えば，最終原稿より前の原稿の読み取り開始後に，プレ報知を実施してもよい。また，原稿１枚の読み取りごとにプレ報知を行ってもよい。
【００８６】
また，実施の形態では，コピー処理では，プレ報知を実施しないとしたが，実施してもよい。例えば，印刷を開始したらまず，プレ報知を行い，読み取りが終了したら報知に変更するとしてもよい。また，メモリコピーでは，報知を遅延させるとしたが，遅延させなくてもよい。つまり，図８のＳ２０１とＳ２０２とは，無くてもよい。また，遅延させる代わりに，終了条件を満たす経過時間を長くしてもよい。
【００８７】
また，プレ報知や報知の終了タイミングは，本実施の形態に記載した各タイミングに限らない。例えば，ＭＦＰ１００は，操作パネル４０にてキー入力を受け付けたら，報知を終了するとしてもよい。例えば，操作パネル４０に報知停止ボタンを設け，報知中にユーザが任意に報知を終了できるようにしてもよい。あるいは，ＡＤＦ２２が開閉されたら，報知を終了するとしてもよい。あるいは，ＡＤＦ２２の原稿トレイ２８に新たに原稿がセットされたら，報知を終了するとしてもよい。
【００８８】
また，プレ報知を開始するタイミングを，原稿のサイズ，読み取りの解像度，原稿の搬送速度，キャリッジ２３の移動速度の少なくとも１つに応じて，調整するとしたが，これに限らない。例えば，原稿の読取動作の開始後に，所定時間が経過したらプレ報知を実行するとしてもよい。
【００８９】
また，報知やプレ報知のタイミングは，実際に原稿の取り出しが可能なタイミングとは限らない。例えば，ＡＤＦ読み取りでは，最終原稿が原稿排出トレイ２９に排出される前に報知してもよい。また，例えば，ＡＤＦ読み取りにて，原稿を反転させる経路を使用して両面読み取りを行う装置では，原稿を反転して搬送させている間にも報知またはプレ報知を実行してもよい。
【００９０】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９１】
２１  読取ヘッド
２２  ＡＤＦ
２５  ＦＢガラス
３１  ＣＰＵ
１００  ＭＦＰ
【図１】
2016048868.tif 000003
【図２】
2016048868.tif 000004
【図３】
2016048868.tif 000005
【図４】
2016048868.tif 000006
【図５】
2016048868.tif 000007
【図６】
2016048868.tif 000008
【図７】
2016048868.tif 000009
【図８】
2016048868.tif 000010